(57)【要約】【課題】カメラ本体を充電スタンドに接続した際にカメラ画面の向きをチェックする機能を追加するだけで、スライドショー形式の画像再生動作を制御できるようにする。【解決手段】カメラ本体１が充電スタンド２に接続された際に、カメラ画面１１が前向きの状態で接続されていれば、撮影済み画像の中から再生対象として選択された画像をスライドショー形式でカメラ画面に逐次切り換え表示される。【選択図】  図1
2006054737.tif 000002
【特許請求の範囲】
【請求項１】
二次電池を充電する充電スタンドに接続可能なデジタルカメラであって、
カメラ本体が充電スタンドに接続された際に、その接続状態に基づいてカメラ画面が前向きの状態で接続されたか否かを判別する判別手段と、
この判別手段によってカメラ画面が前向きの状態で接続されたことが判別された際に、記録保存されている撮影済み画像の中から再生対象として選択された画像をスライドショー形式で前記カメラ画面に逐次切り換え表示する表示制御手段と、
を具備したことを特徴とするデジタルカメラ。
【請求項２】
カメラ本体と充電スタンドとの接続面においてその一方にカメラ画面の向きを検出するための検出用ピンと他方に当該検出用ピンが挿入される検出用穴が設けられている状態において、前記判別手段は、充電スタンド側から充電電流が供給された際に、前記検出用穴に検出用ピンが挿入されたか否かを示す検出信号に基づいてカメラ画面が前向きの状態で接続されたか否かを判別する、
ようにしたことを特徴とする請求項1記載のデジタルカメラ。
【請求項３】
コンピュータに対して、
カメラ本体が充電スタンドに接続された際に、その接続状態に基づいてカメラ画面が前向きの状態で接続されたか否かを判別する機能と、
カメラ画面が前向きの状態で接続されたことが判別された際に、記録保存されている撮影済み画像の中から再生対象として選択された画像をスライドショー形式で前記カメラ画面に逐次切り換え表示する機能と、
を実現させるためのプログラム。
【請求項４】
二次電池を充電する充電スタンドに接続可能なデジタルカメラであって、
カメラ本体が充電スタンドに接続された際に、カメラ電源がオン状態で接続されたか否かを判別する判別手段と、
この判別手段によってカメラ電源がオン状態で接続されたことが判別された際に、記録保存されている撮影済み画像の中から再生対象として選択された画像をスライドショー形式でカメラ画面に逐次切り換え表示する表示制御手段と、
を具備したことを特徴とするデジタルカメラ。
【請求項５】
コンピュータに対して、
カメラ本体が充電スタンドに接続された際に、カメラ電源がオン状態で接続されたか否かを判別する機能と、
カメラ電源がオン状態で接続されたことが判別された際に、記録保存されている撮影済み画像の中から再生対象として選択された画像をスライドショー形式でカメラ画面に逐次切り換え表示する機能と、
を実現させるためのプログラム。
【請求項６】
二次電池を充電する充電スタンドに接続可能なデジタルカメラであって、
カメラ本体が充電スタンドに接続された際に、カメラ動作モードとして再生モードにセットされているか否かを判別する判別手段と、
この判別手段によって再生モードにセットされていることが判別された際に、記録保存されている撮影済み画像の中から再生対象として選択された画像をスライドショー形式でカメラ画面に逐次切り換え表示する表示制御手段と、
を具備したことを特徴とするデジタルカメラ。
【請求項７】
コンピュータに対して、
カメラ本体が充電スタンドに接続された際に、カメラ動作モードとして再生モードにセットされているか否かを判別する機能と、
再生モードにセットされていることが判別された際に、記録保存されている撮影済み画像の中から再生対象として選択された画像をスライドショー形式でカメラ画面に逐次切り換え表示する機能と、
を実現させるためのプログラム。
【請求項８】
二次電池を充電する充電スタンドに接続可能なデジタルカメラであって、
カメラ本体が充電スタンドに接続された際に、二次電池の充電状態が予め決められている所定レベル以上であるか否かを判別する判別手段と、
この判別手段によって二次電池の充電状態が所定レベル以上であることが判別された際に、記録保存されている撮影済み画像の中から再生対象として選択された画像をスライドショー形式でカメラ画面に逐次切り換え表示する表示制御手段と、
を具備したことを特徴とするデジタルカメラ。
【請求項９】
コンピュータに対して、
カメラ本体が充電スタンドに接続された際に、二次電池の充電状態が予め決められている所定レベル以上であるか否かを判別する機能と、
二次電池の充電状態が所定レベル以上であることが判別された際に、記録保存されている撮影済み画像の中から再生対象として選択された画像をスライドショー形式でカメラ画面に逐次切り換え表示する機能と、
を実現させるためのプログラム。
【請求項１０】
前記表示制御手段は、撮影済み画像の中から再生対象の画像を選択する際に、現在日付に基づいて当日撮影の画像を特定し、この画像を再生対象画像として選択する、
ようにしたことを特徴とする請求項1、４、６、８何れか記載のデジタルカメラ。
【請求項１１】
前記表示制御手段は、撮影済み画像の中から再生対象の画像を選択する際に、予め撮影済み画像の中から区分けしておいた画像を再生対象画像として選択する、
ようにしたことを特徴とする請求項1、４、６、８何れか記載のデジタルカメラ。
【請求項１２】
二次電池を充電する充電スタンドに接続可能なデジタルカメラであって、
カメラ本体が充電スタンドに接続された際に、現在日付を取得する取得手段と、
この取得手段によって得られた現在日付に基づいて当日に撮影された撮影済み画像が存在しているか否かを判別する判別手段と、
この判別手段によって当日撮影の画像が存在していることが判別された際に、記録保存されている撮影済み画像の中から再生対象として選択された当日撮影の画像をカメラ画面に再生表示する表示制御手段と、
を具備したことを特徴とするデジタルカメラ。
【請求項１３】
前記選択手段によって当日撮影の画像が複数選択された場合に、前記表示制御手段は、この複数の画像をスライドショー形式でカメラ画面に逐次切り換え表示する、
ようにしたことを特徴とする請求項1２記載のデジタルカメラ。
【請求項１４】
コンピュータに対して、
カメラ本体が充電スタンドに接続された際に、現在日付を取得する機能と、
現在日付に基づいて当日に撮影された撮影済み画像が存在しているか否かを判別する機能と、
当日撮影の画像が存在していることが判別された際に、記録保存されている撮影済み画像の中から再生対象として選択された当日撮影の画像をカメラ画面に再生表示する機能と、
を実現させるためのプログラム。
【発明の詳細な説明】
【技術分野】
【０００１】
この発明は、二次電池を充電する充電スタンドに接続可能なデジタルカメラおよびプログラムに関する。
【背景技術】
【０００２】
一般に、デジタルカメラにおいては、撮影モードで撮影した各撮影済み画像を再生モードに切り換えることによって１枚ずつ画像送りを指示しながら確認したり、複数の撮影済み画像の自動送りによって確認できるようにしている。この場合、スライドショー形式で表示(画像の自動送りによって再生表示)するものとしては、たとえば、二次電池を充電する充電器に接続可能なデジタルカメラにおいて、カメラ本体が充電器にセットされたか否かを検出し、カメラ本体が充電器にセットされた際に、スライドショー形式で画像を再生表示するようにした情報再生装置が知られている（特許文献１参照）。
【特許文献１】特開平２０００−３３３０４６号公報
【発明の開示】
【発明が解決しようとする課題】
【０００３】
しかしながら、特許文献１の情報再生装置にあっては、カメラ本体を充電器にセットすれば無条件にスライドショー再生が開始されてしまうため、ユーザの意向を反映することができず、不必要なスライドショー再生によってユーザに迷惑をかけたり、第三者に見られたり、撮影済み画像の全てが再生されてしまうという問題が起きる。
そこで、カメラ本体を充電器にセットした状態において、ユーザがスライドショーの開始を指示操作したり、再生対象の画像を任意に選択指定する作業を行うことも考えられるが、煩雑な操作を必要とする結果、ユーザに大きな負担をかけてしまう。
【０００４】
第1の発明の課題は、カメラ本体を充電スタンドに接続した際にカメラ画面の向きをチェックする機能を追加するだけで、スライドショー形式の画像再生動作を制御できるようにすることである。
第２の発明の課題は、カメラ本体を充電スタンドに接続した際にカメラ電源のオン／オフ状態をチェックする機能を追加するだけで、スライドショー形式の画像再生動作を制御できるようにすることである。
第３の発明の課題は、カメラ本体を充電スタンドに接続した際にカメラ動作モードをチェックする機能を追加するだけで、スライドショー形式の画像再生を制御できるようにすることである。
第４の発明の課題は、カメラ本体を充電スタンドに接続した際に二次電池の充電状態をチェックする機能を追加するだけで、スライドショー形式の画像再生動作を制御できるようにすることである。
第５の発明の課題は、カメラ本体を充電スタンドに接続した際に当日に撮影された画像の有無をチェックする機能を追加するだけで、画像再生動作を制御できるようにすることである。
【課題を解決するための手段】
【０００５】
請求項１記載の発明（第１の発明）は、二次電池を充電する充電スタンドに接続可能なデジタルカメラであって、カメラ本体が充電スタンドに接続された際に、その接続状態に基づいてカメラ画面が前向きの状態で接続されたか否かを判別する判別手段と、この判別手段によってカメラ画面が前向きの状態で接続されたことが判別された際に、記録保存されている撮影済み画像の中から再生対象として選択された画像をスライドショー形式で前記カメラ画面に逐次切り換え表示する表示制御手段とを具備したことを特徴とする。
さらに、コンピュータに対して、上述した請求項１記載の発明に示した主要機能を実現させるためのプログラムを提供する（請求項３記載の発明）。
なお、「スライドショー形式」とは、複数の画像(動画あるいは静止画)を順次切り換えながら再生表示する以外にも、１つの画像(動画あるいは静止画)を再生表示する場合も含み、さらには、画像の自動送りのほかに、マニュアル操作によって画像を切り換えてもよい。したがって、広義には単なる画像の再生表示と同義である(以下、同様)。
【０００６】
なお、請求項１記載の発明は次のようなものであってもよい。
カメラ本体と充電スタンドとの接続面においてその一方にカメラ画面の向きを検出するための検出用ピンと他方に当該検出用ピンが挿入される検出用穴が設けられている状態において、前記判別手段は、充電スタンド側から充電電流が供給された際に、前記検出用穴に検出用ピンが挿入されたか否かを示す検出信号に基づいてカメラ画面が前向きの状態で接続されたか否かを判別する（請求項２記載の発明）。
【０００７】
前記表示制御手段は、撮影済み画像の中から再生対象の画像を選択する際に、現在日付に基づいて当日撮影の画像を特定し、この画像を再生対象画像として選択する（請求項１０記載の発明）。
【０００８】
前記表示制御手段は、撮影済み画像の中から再生対象の画像を選択する際に、予め撮影済み画像の中から区分けしておいた画像を再生対象画像として選択する（請求項１１記載の発明）。
【０００９】
請求項４記載の発明（第２の発明）は、二次電池を充電する充電スタンドに接続可能なデジタルカメラであって、カメラ本体が充電スタンドに接続された際に、カメラ電源がオン状態で接続されたか否かを判別する判別手段と、この判別手段によってカメラ電源がオン状態で接続されたことが判別された際に、記録保存されている撮影済み画像の中から再生対象として選択された画像をスライドショー形式でカメラ画面に逐次切り換え表示する表示制御手段とを具備したことを特徴とする。
さらに、コンピュータに対して、上述した請求項４記載の発明に示した主要機能を実現させるためのプログラムを提供する（請求項５記載の発明）。
なお、請求項４記載の発明は、上述した請求項１０および請求項１１記載の発明であってもよい。
【００１０】
請求項６記載の発明（第３の発明）は、二次電池を充電する充電スタンドに接続可能なデジタルカメラであって、カメラ本体が充電スタンドに接続された際に、カメラ動作モードとして再生モードにセットされているか否かを判別する判別手段と、この判別手段によって再生モードにセットされていることが判別された際に、記録保存されている撮影済み画像の中から再生対象として選択された画像をスライドショー形式でカメラ画面に逐次切り換え表示する表示制御手段とを具備したことを特徴とする。
さらに、コンピュータに対して、上述した請求項６記載の発明に示した主要機能を実現させるためのプログラムを提供する（請求項７記載の発明）。
なお、請求項６記載の発明は、上述した請求項１０および請求項１１記載の発明であってもよい。
【００１１】
請求項８記載の発明（第４の発明）は、二次電池を充電する充電スタンドに接続可能なデジタルカメラであって、カメラ本体が充電スタンドに接続された際に、二次電池の充電状態が予め決められている所定レベル以上であるか否かを判別する判別手段と、この判別手段によって二次電池の充電状態が所定レベル以上であることが判別された際に、記録保存されている撮影済み画像の中から再生対象として選択された画像をスライドショー形式でカメラ画面に逐次切り換え表示する表示制御手段とを具備したことを特徴とする。
さらに、コンピュータに対して、上述した請求項８記載の発明に示した主要機能を実現させるためのプログラムを提供する（請求項９記載の発明）。
なお、請求項８記載の発明は、上述した請求項１０および請求項１１記載の発明であってもよい。
【００１２】
請求項１２記載の発明（第５の発明）は、二次電池を充電する充電スタンドに接続可能なデジタルカメラであって、カメラ本体が充電スタンドに接続された際に、現在日付を取得する取得手段と、この取得手段によって得られた現在日付に基づいて当日に撮影された撮影済み画像が存在しているか否かを判別する判別手段と、この判別手段によって当日撮影の画像が存在していることが判別された際に、記録保存されている撮影済み画像の中から再生対象として選択された当日撮影の画像をカメラ画面に再生表示する表示制御手段とを具備したことを特徴とする
さらに、コンピュータに対して、上述した請求項１２記載の発明に示した主要機能を実現させるためのプログラムを提供する（請求項１４記載の発明）。
【００１３】
なお、請求項１２記載の発明は次のようなものであってもよい。
前記選択手段によって当日撮影の画像が複数選択された場合に、前記表示制御手段は、この複数の画像をスライドショー形式でカメラ画面に逐次切り換え表示する（請求項１３記載の発明）。
【発明の効果】
【００１４】
請求項１記載の発明（第１の発明）によれば、カメラ本体が充電スタンドに接続された際に、カメラ画面が前向きの状態で接続された場合には、撮影済み画像の中から再生対象として選択された画像をスライドショー形式でカメラ画面に逐次切り換え表示するようにしたから、カメラ本体を充電スタンドに接続した際にカメラ画面の向きをチェックする機能を追加するだけで、スライドショー形式の画像再生動作を制御することができ、ユーザに特別な操作を要求することなく、スライドショー形式の画像再生を開始することができ、ユーザが意図する通りの画像再生が可能であると共に、ユーザと対面するカメラ画面の向きを「前向き」とすれば、充電スタンドの向きを変えることなく、カメラ本体を充電スタンドにセットした状態で再生画像を見ることが可能となる。
なお、カメラ画面が前向きの状態で接続された状態で画像再生と共に、二次電池を充電するようにしてもよいが、充電をどのタイミングで開始するかは任意である。このように画像再生と共に、二次電池を充電するようにすれば、電池の消耗を気にせず、フォトスタンドのように画像を見ることができる(以下、同様)。
【００１５】
請求項２記載の発明によれば、上述した請求項１記載の発明と同様の効果を有する他、カメラ本体と充電スタンドとの接続面においてその一方にカメラ画面の向きを検出するための検出用ピンと他方に当該検出用ピンが挿入される検出用穴が設けられている状態において、充電スタンド側から充電電流が供給された際に、前記検出用穴に検出用ピンが挿入されたか否かを示す検出信号に基づいてカメラ画面が前向きの状態で接続されたか否かを判別するようにしたから、簡単かつ確実な方法でカメラ画面が前向きの状態で接続されたか否かを判別することができる。
【００１６】
請求項１０記載の発明によれば、上述した請求項１記載の発明と同様の効果を有する他、撮影済み画像の中から再生対象の画像を選択する際に、現在日付に基づいて当日撮影の画像を特定し、この画像を再生対象画像として選択するようにしたから、当日に撮影された画像のみをスライドショー形式で逐次切り換え表示することができ、たとえば、再生済み画像の再表示を防ぐことが可能となる。
【００１７】
請求項１１記載の発明によれば、上述した請求項１記載の発明と同様の効果を有する他、撮影済み画像の中から再生対象の画像を選択する際に、予め撮影済み画像の中から区分けしておいた画像を再生対象画像として選択するようにしたから、たとえば、お気に入り画像として予め区分けしておいた画像をスライドショー形式で逐次切り換え表示することができる。
【００１８】
請求項４記載の発明(第２の発明)によれば、カメラ本体が充電スタンドに接続された際に、カメラ電源がオン状態のままで接続された場合には、撮影済み画像の中から再生対象として選択された画像をスライドショー形式でカメラ画面に逐次切り換え表示するようにしたから、カメラ本体を充電スタンドに接続した際にカメラ電源のオン／オフ状態をチェックする機能を追加するだけで、スライドショー形式の画像再生動作を制御することができ、ユーザに特別な操作を要求することなく、スライドショー形式の画像再生を開始することができ、ユーザが意図する通りの画像再生が可能となる。
なお、請求項４記載の発明においても、上述した請求項１０および請求項１１記載の発明と同様の効果を有する。
【００１９】
請求項６記載の発明（第３の発明）によれば、カメラ本体が充電スタンドに接続された際に、カメラ動作モードとして再生モードにセットされている場合には、撮影済み画像の中から再生対象として選択された画像をスライドショー形式でカメラ画面に逐次切り換え表示するようにしたから、カメラ本体を充電スタンドに接続した際にカメラ動作モードをチェックする機能を追加するだけで、スライドショー形式の画像再生を制御することができ、ユーザに特別な操作を要求することなく、スライドショー形式の画像再生を開始することができ、ユーザが意図する通りの画像再生が可能となる。
なお、請求項６記載の発明においても、上述した請求項１０および請求項１１記載の発明と同様の効果を有する。
【００２０】
請求項８記載の発明（第４の発明）によれば、カメラ本体が充電スタンドに接続された際に、二次電池の充電状態が予め決められている所定レベル以上である場合には、撮影済み画像の中から再生対象として選択された画像をスライドショー形式でカメラ画面に逐次切り換え表示するようにしたから、カメラ本体を充電スタンドに接続した際に二次電池の充電状態をチェックする機能を追加するだけで、スライドショー形式の画像再生動作を制御することができ、ユーザに特別な操作を要求することなく、スライドショー形式の画像再生を開始することができ、ユーザが意図する通りに画像再生が可能となる。
なお、請求項８記載の発明においても、上述した請求項１０および請求項１１記載の発明と同様の効果を有する。
【００２１】
請求項１２記載の発明（第５の発明）によれば、カメラ本体が充電スタンドに接続された際に、現在日付に基づいて当日に撮影された撮影済み画像が存在している場合には、撮影済み画像の中から再生対象として選択された当日撮影の画像をカメラ画面に再生表示するようにしたから、カメラ本体を充電スタンドに接続した際に当日に撮影された画像の有無をチェックする機能を追加するだけで、画像再生動作を制御することができ、ユーザに特別な操作を要求することなく、ユーザが意図する通りの画像再生が可能となる。
【００２２】
請求項１３記載の発明によれば、上述した請求項１２記載の発明と同様の効果を有する他、当日撮影の画像が複数選択された場合に、この複数の画像をスライドショー形式でカメラ画面に逐次切り換え表示するようにしたから、スライドショー形式の画像再生を開始することができる。
【発明を実施するための最良の形態】
【００２３】
以下、図１〜図４を参照して本発明の実施例を説明する。
図１は、この実施例におけるデジタルカメラおよび充電スタンドの外観斜視図であり、カメラ本体１が充電スタンド２に接続された際にその接続状態に基づいてカメラ画面１１が前向きの状態で接続されたか否かをチェックするために用いられるコネクタ部分を示した図である。
このデジタルカメラは、二次電池を主電源とすると共に、この二次電池を充電する充電スタンド２に接続可能な携帯型のスチルカメラであり、静止画撮影に限らず、動画撮影も可能なもので、カメラ本体１の表裏両面においてカメラ画面１１は撮影レンズ１２の反対側に設けられている。ここで、カメラ本体１の向きを次ぎのように定義する。すなわち、カメラ本体１を充電スタンド２に接続した状態において、撮影レンズ１２が正面となり、カメラ画面１１が背面となる場合を「後ろ向き：裏面」と定義し、逆に、カメラ画面１１が正面となり、撮影レンズ１２が背面となる場合を「前向き：表面」と定義する。つまり、カメラ画面１１を基準として、ユーザとカメラ画面１１とが対面するか否かに基づいてカメラ本体１の向きが定義され、図１(Ａ)に場合には、「後ろ向き」となり、図１(Ｂ)の場合には、「前向き」となる。
【００２４】
カメラ本体１の下面中央部には充電用端子(＋端子、−端子)１３が設けられ、その下面一端部には、表裏検出用穴１４が設けられ、また、下面他端部には、表裏検出用穴１４と同一の形状を持つダミー用の穴１５が設けられている。他方、充電スタンド２の上面中央部には、充電用端子(−端子、＋端子、−端子)２１が設けられ、その上面一端部には、表裏検出用ピン２２が設けられている。この場合、充電スタンド２側の充電用端子２１は、カメラ本体１が前向き、後ろ向きの何れの状態でも接続可能とするために２本の−端子を有する構成となっている。充電スタンド２側の表裏検出用ピン２２は、カメラ本体１が「後ろ向き」に接続された際に、カメラ本体１のダミー穴１５が挿入されるが、「前向き」に接続された際に、カメラ本体１の表裏検出用穴１４に挿入される。ここで、表裏検出用ピン２２が表裏検出用穴１４に挿入されると、表裏検出用穴１４内に設けた検出用スイッチ(図示せず)を押圧して当該スイッチをオンさせてカメラ本体１が前向きにセットされたことを示す検出信号を出力させるが、表裏検出用ピン２２がダミー穴１５に挿入されても、当該検出用スイッチはオフ状態のままとなる。
【００２５】
図２は、デジタルカメラの基本的な構成要素を示したブロック図である。
ＣＰＵ１０１は、記憶部１０２内のオペレーティングシステム、各種アプリケーションソフトに応じてこのデジタルスチルカメラの全体動作を制御する中央演算処理装置である。記憶部１０２は、ハードディスク等の固定的なメモリであり、プログラム記憶領域とデータ記憶領域とを有している。この記憶部１０２内のプログラム記憶領域には、後述する図４に示す動作手順で本実施例の動作を実現するためのアプリケーションプログラムが格納されている。このプログラム、データは、必要に応じてワークメモリ１０３にロードされたり、このワークメモリ１０３内のデータが記憶部１０２にセーブされる。なお、記録メディア１０４は、ＤＶＤ等の着脱自在なメモリであり、記憶部１０２、ワークメモリ１０３との間においてプログラム、画像データ等の授受を行う。
【００２６】
一方、ＣＰＵ１０１には、その入出力周辺デバイスである操作部１０５、表示部１０６、カメラ撮影部１０７がバスラインを介して接続されており、入出力プログラムに応じてＣＰＵ１０１は、これらの入出力デバイスの動作制御を行う。充電コネクタ部１０８は、上述した充電用端子(＋端子、−端子)１３、表裏検出用穴１４、検出用スイッチ(図示せず)を構成するもので、充電スタンド２からの充電電流を二次電池１０９に供給するほか、検出用スイッチのオン／オフ信号をＣＰＵ１０１に与える。操作部１０５は、シャッターボタンＳＴ、ズームボタンＷＤのほか、撮影モード／再生モードに切り換えるモードボタンＭＤ等、各種のファンクションボタンを有し、その操作信号はＣＰＵ１０１に与えられる。ここで、通常と同様、「撮影モード」は、撮影画像を取得して記録保存する動作モードであり、「再生モード」は、記録保存されている撮影画像を読み出してカメラ画面１１に再生出力させる動作モードである。
【００２７】
この「再生モード」に切り換えられている状態において、ＣＰＵ１０1は、画像送りボタンが操作される毎に、１枚ずつ画像を読み出してカメラ画面１１に再生出力させるほか、カメラ本体１が充電スタンド２に接続された際に、一定の条件下でスライドショー形式で画像をカメラ画面１１に再生出力させるようになっている。この場合、カメラ本体１を充電スタンド２に接続した際にカメラ画面１１の向き、カメラ電源のオン／オフ状態、カメラ動作モード、二次電池１０９の充電状態、当日に撮影された画像の有無をチェックし、これらのチェック結果に基づいてスライドショー形式の画像再生動作を制御するようにしている。
【００２８】
このスライドショー形式の再生時には、予め任意に設定されている再生対象指定情報を参照して、当日に撮影された当日画像を再生させるか、お気に入りフォルダ(図示せず)に格納されているお気に入り画像を再生させるかを決定し、当日画像あるいはお気に入り画像をスライドショー形式で再生するようにしている。表示部１０６は、カメラ画面１１を構成するもので、たとえば、タッチパネル付きの液晶表示部であり、モニタ画面／ファインダ画面／画像再生画面として使用される。
【００２９】
カメラ撮影部１０７は、撮影レンズ、ミラー等のレンズ・ミラーブロック、ＣＣＤイメージセンサ等の撮像素子、その駆動系等を備えたもので、ＣＰＵ１０１は、光学ズーム機能を調整制御したり、オートフォーカス時の駆動制御、シャッター駆動制御、露出、ホワイトバランス等を制御する。画像メモリ１１０内の撮影画像は、１画像毎に画像ファイルとして内部メモリであるワークメモリ１０３あるいは外部メモリである記録メディア４に記録保存されるが、その際、このファイル名として「撮影日時」を付加して保存すると共に、お気に入り画像として任意にユーザ選択された画像は、お気に入りフォルダ内に別途格納するようにしている。
【００３０】
図３は、充電スタンド２の基本構成を示したブロック図である。
充電スタンド２は、充電専用のクレードル(スタンド型拡張機器)で、通常と同様に、ＡＣ電源に接続される充電器(充電回路部分)２３と充電コネクタ部２４とを有する構成で、充電コネクタ部２４には、上述した充電用端子(−端子、＋端子、−端子)２１、表裏検出用ピン２２が設けられている。なお、充電スタンド２は、たとえば、カメラ本体１の二次電池１０９を約３時間でフル充電するもので、充電中、充電完了などを報知するランプ(図示せず)が設けられている。
【００３１】
次ぎに、この実施例におけるデジタルカメラの動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３２】
図４は、カメラ本体１が充電スタンド２に接続された際に、充電スタンド２からの充電電流の供給に伴って実行開始されるカメラ本体１側の動作を示したフローチャートである。
先ず、ＣＰＵ１０１は、充電スタンド２からの充電電流を検出すると、つまり、充電スタンド２にカメラ本体１を接続すると、カメラ側の充電コネクタ部１０８と充電スタンド２側の充電コネクタ部２４との接続状態を検出する(ステップＳ１)。この場合、カメラ本体１に充電スタンド２を接続した際、カメラ本体１の向きに応じて充電スタンド２側の表裏検出用ピン２２がカメラ本体１のダミー穴１５あるいは表裏検出用穴１４に挿入されるが、この表裏検出用ピン２２が表裏検出用穴１４に挿入された場合には、表裏検出用穴１４内の検出用スイッチがオンされ、表裏検出用ピン２２がダミー穴１５に挿入された場合には、当該検出信号はオフのままとなるため、ＣＰＵ１０1は、この検出信号のオン／オフ状態に基づいてカメラ本体１が「後ろ向き」に接続されているか、「前向き」に接続されているかを判別する(ステップＳ２)。
【００３３】
いま、カメラ本体１が「前向き」に接続されている状態において(ステップＳ２でＹＥＳ)、ＣＰＵ１０1は、カメラ電源のオン／オフ状態を検出し、カメラ電源をオンしたままの状態でカメラ本体１が充電スタンド２に接続されたかをチェックし(ステップＳ３)、カメラ本体１が「前向き」で、カメラ電源がオン状態であれば (ステップＳ３でＹＥＳ)、現在の動作モードを検出し、再生モードにセットされたままの状態でカメラ本体１が充電スタンド２に接続されたかをチェックする(ステップＳ４)。ここで、カメラ本体１が「前向き」で、カメラ電源がオン状態、しかも、再生モードにセットされていれば(ステップＳ４でＹＥＳ)、二次電池１０９の現在の充電電圧を検出し(ステップＳ５)、この検出電圧と設定電圧レベルとを比較することによって現在の充電電圧は設定レベル以上(たとえば、１／１０以上)かをチェックする(ステップＳ６)。
【００３４】
ここで、現在の充電電圧は設定レベル以上であれば(ステップＳ６でＹＥＳ)、つまり、上述した各条件(ステップＳ２、３、４、６)を全て満たす場合には、スライドショー再生を実行するための処理(ステップＳ９以降)に移るが、上述した各条件のうち、その何れか１つの条件でも満たさない場合には、ステップＳ７に移ってカメラ電源がオンされているかをチェックし、カメラ電源がオンされていれば、カメラ電源を強制的にオフさせる(ステップＳ８)。この場合、二次電池１０９がフル充電されるまで充電が継続される。
【００３５】
なお、この実施例においては、図４で示したように、上述の各条件を全て満たす際に、スライドショー再生を実行するための処理に移る場合を例示したが、これらの条件を全て満たす論理積(ＡＮＤ)に限らず、その論理和(ＯＲ)であってもよい。言い換えれば、「第1の条件‥‥カメラ本体１が前向きに接続されていること」、「第２の条件‥‥カメラ電源がオンのままの状態であること」、「第３の条件‥‥再生モードにセットされたままの状態であること」、「第４の条件‥‥現在の充電電圧は設定レベル以上であること」のうち、何れか１つの条件を満たす場合に、スライドショー再生を実行するための処理に移るようにしてもよい。この場合、ステップＳ２、３、４、６の何れかでＹＥＳと判断された場合に、ステップＳ９に移ればよく、また、ステップＳ２でＮＯの場合にはステップＳ３に移り、ステップＳ３でＮＯで場合にはステップＳ４に移り、ステップＳ４でＮＯの場合にはステップＳ６に移り、ステップＳ６でＮＯの場合にはステップＳ７に移ればよい。
【００３６】
この際、たとえば、「第1の条件‥‥カメラ本体１が前向きに接続されていること」の成立に伴ってスライドショー再生処理に移る場合に、ＣＰＵ１０1は、現在の動作モードを検出し、撮影モードであれば、再生モードに強制的に切り換えるようにしてもよく、また、カメラ電源がオフ状態であっても、充電スタンド２からの供給電圧を電源としてスライドショーを実行するようにしてもよい。また、上述した第1〜第４の条件のうち、その２以上の条件を組み合わせた論理積の成立に伴ってスライドショー再生処理に移るようにしてもよい。たとえば、「第1の条件‥‥カメラ本体１が前向きに接続されていること」と「第２の条件‥‥カメラ電源がオンのままの状態であること」との論理積であってもよい。この場合においても、現在の動作モードを検出し、撮影モードであれば、再生モードに強制的に切り換えるようにしてもよく、また、カメラ電源がオフ状態であっても、充電スタンド２からの供給電圧を電源としてスライドショー再生処理を実行するようにしてもよい。
【００３７】
これによってスライドショー再生処理に移ると、先ず、ＣＰＵ１０1は、内部メモリであるワークメモリ１０３あるいは外部メモリである記録メディア４に記録保存されている撮影済み画像群の中から再生対象の画像ファイルを選択抽出する(ステップＳ９)。この場合、ＣＰＵ１０1は、予め任意に設定されている再生対象指定情報を参照し、当日に撮影された当日画像を再生させるか、お気に入りフォルダ内に別途格納されているお気に入り画像を再生させるかを決定し、当日画像あるいはお気に入り画像を再生対象として選択抽出する。なお、再生対象指定情報がそのデフォルト値である“０”の場合には、当日画像を選択し、“１”の場合には、お気に入り画像を選択抽出するようにしているが、当日画像を選択する際には、現在日時を取得し、この現在日時と画像ファイル内の撮影日時とを比較することによって当日撮影された画像か否かをチェックし、当日撮影された画像であれば、再生対象として選択抽出するようにしている。
【００３８】
このように再生対象を選択抽出する処理を行った結果、再生対象として選択された該当画像が１つでも有るか否かをチェックし(ステップＳ１０)、１つも無ければ、上述したステップＳ７に移るが、該当する画像が有れば、それは２以上か否かを判別する(ステップＳ１１)。いま、再生対象として選択抽出された画像が１つであれば(ステップＳ１１でＮＯ)、この抽出画像をカメラ画面１１に個別再生させる(ステップＳ１２)。この場合、画像再生を一定時間継続させるために、ステップＳ１３では予め任意に設定された第1時間(たとえば、３分間)の経過有無をチェックし、その時間が経過するまで画像再生を継続するが、第1時間が経過すると、その時点でスライドショー再生を終了させた後(ステップＳ１８)、上述のステップＳ７に移る。
【００３９】
一方、再生対象として選択抽出された画像が２以上であれば(ステップＳ１１でＹＥＳ)、この複数の抽出画像をその先頭から１画像毎に読み出し、予め任意に設定されている所定時間間隔(たとえば、２０秒間隔)で逐次切り換え表示される(ステップＳ１４)。これによって全画像を表示し終わると(ステップＳ１５でＹＥＳ)、予め任意に設定されている第２時間(たとえば、８分間)以上の経過有無をチェックし(ステップＳ１６)、この時間が経過するまで複数の画像を順次切り換え表示する動作を再開させる(ステップＳ１７)。この結果、たとえば、８分間経過するまで複数の画像を逐次切り換え表示する動作が何回も行われる。ここで、第２時間以上が経過すると(ステップＳ１６でＹＥＳ)、その時点でスライドショー再生を終了させた後(ステップＳ１８)、上述のステップＳ７に移る。
【００４０】
以上のように、この実施例においては、カメラ本体１が充電スタンド２に接続された際に、ＣＰＵ１０1は、カメラ画面１１が前向きの状態で接続されていれば、撮影済み画像の中から再生対象として選択された画像をスライドショー形式でカメラ画面に逐次切り換え表示するようにしたから、カメラ本体１を充電スタンド２に接続した際にカメラ画面１１の向きをチェックする機能を追加するだけで、スライドショー形式の画像再生動作を制御することができ、ユーザに特別な操作を要求することなく、スライドショー形式の画像再生を開始することができ、ユーザが意図する通りの画像再生が可能であると共に、ユーザと対面するカメラ画面の向きを「前向き」とすれば、充電スタンドの向きを変えることなく、カメラ本体を充電スタンドにセットした状態で再生画像を見ることが可能となる。
【００４１】
この場合、カメラ本体１に充電スタンド２を接続した際、充電スタンド２側の表裏検出用ピン２２がカメラ本体１の表裏検出用穴１４に挿入された否かを示す検出信号のオン／オフ状態に基づいてカメラ本体１が「後ろ向き」に接続されているか、「前向き」に接続されているかを判別するようにしたから、簡単かつ確実な方法でカメラ画面が前向きの状態で接続されたか否かを判別することができる。
【００４２】
カメラ本体１が充電スタンド２に接続された際に、カメラ電源がオン状態のままで接続された場合には、撮影済み画像の中から再生対象として選択された画像をスライドショー形式でカメラ画面１１に逐次切り換え表示するようにしたから、カメラ本体１を充電スタンド２に接続した際にカメラ電源のオン／オフ状態をチェックする機能を追加するだけで、スライドショー形式の画像再生動作を制御することができ、ユーザに特別な操作を要求することなく、スライドショー形式の画像再生を開始することができ、ユーザが意図する通りの画像再生が可能となる。
【００４３】
カメラ本体１が充電スタンド２に接続された際に、カメラ動作モードとして再生モードにセットされている場合には、撮影済み画像の中から再生対象として選択された画像をスライドショー形式でカメラ画面１１に逐次切り換え表示するようにしたから、カメラ本体１を充電スタンド２に接続した際にカメラ動作モードをチェックする機能を追加するだけで、スライドショー形式の画像再生を制御することができ、ユーザに特別な操作を要求することなく、スライドショー形式の画像再生を開始することができ、ユーザが意図する通りの画像再生が可能となる。
【００４４】
カメラ本体１が充電スタンド２に接続された際に、二次電池１０９の充電状態が予め決められている所定レベル以上である場合には、撮影済み画像の中から再生対象として選択された画像をスライドショー形式でカメラ画面１１に逐次切り換え表示するようにしたから、カメラ本体１を充電スタンド２に接続した際に二次電池１０９の充電状態をチェックする機能を追加するだけで、スライドショー形式の画像再生動作を制御することができ、ユーザに特別な操作を要求することなく、スライドショー形式の画像再生を開始することができ、ユーザが意図する通りの画像再生が可能となる。
【００４５】
また、撮影済み画像の中から再生対象の画像を選択する際に、現在日付に基づいて当日撮影の画像を特定し、この画像を再生対象画像として選択するようにしたから、当日に撮影された画像のみをスライドショー形式で逐次切り換え表示することができ、たとえば、再生済み画像の再表示を防ぐことが可能となる。さらに、撮影済み画像の中から再生対象の画像を選択する際に、撮影済み画像の中から予め区分けしておいた画像を再生対象として選択してスライドショー形式で逐次切り換え表示することができる。
【００４６】
なお、上述した実施例においては、充電スタンド２側の表裏検出用ピン２２がカメラ本体１の表裏検出用穴１４に挿入された否かを示す検出信号のオン／オフ状態に基づいてカメラ本体１が「後ろ向き」に接続されているか、「前向き」に接続されているかを判別するようにしたが、カメラ本体１の向きを検出する手段としては、光学的あるいは機械的手段によって検出するようにしてもよい。
また、カメラ画面１１が前向きの状態で接続された状態で画像再生と共に、二次電池１０９を充電するようにしてもよいが、充電をどのタイミングで開始するかは任意である。
【００４７】
上述した実施例においては、カメラ本体１が充電スタンド２に接続された際に、一定の条件で、当日画像あるいはお気に入り画像をスライドショー再生するようにしたが、たとえば、撮影済み画像群の中から撮影日時が古い順あるいは新しい順に再生したり、特定人物の画像を選択抽出して再生するなど、再生対象の画像は任意である。
また、スライドショーの終了タイミングを示す「第１時間」、「第２時間」は、ユーザの希望通りに予め任意に設定した設定時間であってもよく、さらに、スライドショーの繰り返し数を任意に設定するようにしてもよい。
【００４８】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、カメラ本体が充電スタンドに接続された際に、現在日付を取得する機能と、現在日付に基づいて当日に撮影された撮影済み画像が存在しているか否かを判別する機能と、当日撮影の画像が存在していることが判別された際に、記録保存されている撮影済み画像の中から再生対象として選択された当日撮影の画像をカメラ画面に再生表示する機能とを実現させるためのプログラムを記録したコンピュータが読み取り可能な記録媒体を提供するようにしてもよい。
【図面の簡単な説明】
【００４９】
【図１】デジタルカメラおよび充電スタンドの外観斜視図で、カメラ本体１が充電スタンド２に接続された際にその接続状態に基づいてカメラ画面１１が前向きの状態で接続されたか否かをチェックするために用いられるコネクタ部分を示した図。
【図２】デジタルカメラの基本的な構成要素を示したブロック図。
【図３】充電スタンド２の基本構成を示したブロック図。
【図４】カメラ本体１が充電スタンド２に接続された際に、充電スタンド２からの充電電流の供給に伴って実行開始されるカメラ本体１側の動作を示したフローチャート。
【符号の説明】
【００５０】
１  カメラ本体
２  充電スタンド
１１  カメラ画面
１２  撮影レンズ
１３、２１  充電用端子
１４  表裏検出用穴
１５  ダミー穴
２２  表裏検出用ピン
１０１  ＣＰＵ
１０２  記憶部
１０４  記録メディア
１０５  操作部
１０６  表示部
１０７  カメラ撮影部
１０９  二次電池
【図１】
2006054737.tif 000003
【図２】
2006054737.tif 000004
【図３】
2006054737.tif 000005
【図４】
2006054737.tif 000006